(57)【要約】      （修正有）【課題】補助ナットをフィッティング部にネジ結合させることにより、製作性を向上させるとともに、補助ナットが正確に固定され、これの信頼性を確保され得るようにする。【解決手段】端部には掛け顎１が形成されている中空円筒状のフィッティング部２；一方は前記フィッティング部２の掛け顎１に回転可能に支持され、他方は流体を供給する相手部品と結合されるナット３；前記フィッティング部２の他端に嵌め込まれるホース４を半径方向に圧着し固定するカップリング５；を備えるホースアセンブリ用フィッティング部締結構造において、前記フィッティング部２とカップリング５との間に介在され、内壁に、前記フィッティング部２の外壁に形成された雄ネジ７に対応される雌ネジ８が形成され相互にネジ結合され、外壁に前記カップリング５を固定させ得る環状溝９ａを備える補助ナット９を更に含む。【選択図】  図４
2004211882.tif 000002
【特許請求の範囲】
【請求項１】
端部には掛け顎（ｅｎｇａｇｉｎｇ  ｊａｗ）が形成され内部にはガスが通過できるよう中が空いている中空円筒状のフィッティング部と、一方は前記フィッティング部の掛け顎によって回転可能に支持され他方は流体を供給する相手部品と結合されるナットと、前記フィッティング部の他端に嵌め込まれるホースを半径方向に圧着し固定するカップリングを備える、ホースアセンブリ用フィッティング部締結（ｃｏｕｐｌｉｎｇ）構造において、
前記フィッティング部とカップリングとの間に介在され、内壁に前記フィッティング部外壁に形成された雄ネジに対応される雌ネジが形成され相互に結合され、外壁に前記カップリングを固定させることのできる環状溝を備える補助ナットを更に含むことを特徴とする、ホースアセンブリ用フィッティング部締結構造。
【請求項２】
第１項において、前記ホースがフィッティング部より容易に滑らないようにするために前記ホースが嵌め込まれるフィッティング部の他端に凸凹部が多段階で更に形成されることを特徴とする、ホースアセンブリ用フィッティング部締結構造。
【請求項３】
第１項において、前記カップリングの端部に前記環状溝と対応される環状のカラーが更に含まれることを特徴とする、ホースアセンブリ用フィッティング部締結構造。
【請求項４】
第１項において、前記カップリングの内壁に前記ホースがカップリングより容易に滑らないための凸凹部が多段階で更に形成されることを特徴とする、ホースアセンブリフィッティング部締結構造。
【発明の詳細な説明】
【０００１】
【発明の属する技術分野】
本発明は、端部が流体等を供給するバルブ等の相手部品と回転可能に支持されるナットによって結合されるフィッティング部と、ホースを連結するためカップリングを締結する時に使用される補助ナットが、ネジ式で着脱可能に結合されるよう形成することによりその製作性を高める、ホースアセンブリ用フィッティング部締結構造に関するものである。
【０００２】
【従来の技術】
図１は、従来技術によるホースアセンブリフィッティング部締結構造の概略図である。
これに図示されたように、ホースアセンブリ用フィッティング部締結構造は、外壁の一方に環状の掛け顎（１）が形成され外壁の他方に多段階の凸凹部（１ａ）が形成され内部に中が空いている中空円筒状のフィッティング部（ｆｉｔｔｉｎｇ）（２）と、掛け顎（１）によって回転可能に支持され高圧流体を供給するバルブ等の相手部品とネジ結合されるナット（３）と、高圧流体を移送させるホース（４）を凸凹部（１ａ）に嵌め込んだ後に凸凹部（１ａ）と対応するホース（４）を半径方向に圧着させることによりホース（４）がフィッティング部（２）に固定されるようにするカップリング（ｃｏｕｐｌｉｎｇ）（５）と、カップリング（５）がフィッティング（２）に容易に固定されるようにするためカップリング（５）とフィッティング部（２）との間に介在され外壁に環状溝が成形されカップリング（５）の一端と環状に凸凹結合される補助ナット（６）とを含めて構成される。
【０００３】
上記のような構成による作動を簡単に記述すると次の通りである。
カップリング（５）をフィッティング部（２）の外周縁に固定するためには、まず、ナット（３）をフィッティング部（２）に挿入する。そして補助ナット（６）とカップリング（５）を組立てる。ナット（３）を挿入した後にカップリングが締結された補助ナット（６）をフィッティング部（２）に挿入する。最後に、補助ナット（６）と接触するフィッティング部（２）の外周縁を溶接によって固定したり或いは補助ナット（６）を半径方向に圧着することによって補助ナット（６）がフィッティング部（２）の外周縁に圧着固定されるようにする。
【０００４】
【発明が解決しようとする課題】
しかし、上記のような従来技術のホースアセンブリ用フィッティング部締結構造では次のような問題点がある。
【０００５】
まず、前記補助ナット（６）をフィッティング部（２）に溶接によって固定する場合、フィッティング部（２）を加工した後、補助ナット（６）をフィッティング部（２）の外周縁に溶接する作業工程以外に、補助ナット（６）を溶接した後に熱変形を防げるよう焼きなまし処理を施す作業工程が加わるので、作業性が著しく落ちることはもちろん、補助ナット（６）の溶接の際に不良が発生した場合に、これを肉眼で確認するできないため補助ナット（６）の機能を喪失し製品の安定性と信頼性が低下する問題点がある。
【０００６】
また、前記補助ナット（６）を半径方向に圧着してフィッティング部（２）に固定する場合、補助ナット（６）の機能を確保するためには、フィッティング部（２）の外周縁に塑性変形の発生が不可避である。このような塑性変形が発生すると、フィッティング部（２）の内径側に変形が生じ、これに伴う内径の縮小は、内部を通過する高圧状態の流体の流れを妨害するため、フィッティング部（２）の機能に深刻な損失を招く。さらに、フィッティング部（２）と補助ナット（６）との間に形成される間隙によって補助ナット（６）の固定が正確に行われなくなり、ともすると流体の高い圧力によってホース（４）がフィッティング部（２）より逸脱してしまう安全上の問題さえ発生することがある。
【０００７】
本発明の目的は、カップリングを用いてホースをフィッティング部に連結するときに使用される補助ナットをフィッティング部にネジ結合させることにより、製作性を向上させるとともに、補助ナットが正確に固定され、これの信頼性を確保され得るようにする、ホースアセンブリ用フィッティング部締結構造を提供することにある。
【０００８】
【課題を解決するための手段】
前述した目的を達成するための、本発明の望ましい実施例は、端部には掛け顎が形成され内部にはガスが通過できるよう中が空いている中空円筒状のフィッティング部と、一方は前記フィッティング部の掛け顎に回転可能に支持され他方は流体を供給する相手部品と結合されるナットと、前記フィッティング部の他端に嵌め込まれるホースを半径方向に圧着し固定するカップリングとを備える、ホースアセンブリ用フィッティング部締結構造において、
前記フィッティング部とカップリングとの間に介在され、内壁に前記フィッティング部外壁に形成された雄ネジ部に対応される雌ネジ部が形成され相互にネジ結合され、外壁に前記カップリングを固定させることのできる環状溝を備える補助ナットを更に含むことを特徴とする、ホースアセンブリ用フィッティング部締結構造を提供する。
【０００９】
本発明の望ましい実施例によれば、前記ホースがフィッティング部より容易に滑らないようにするため前記ホースが嵌め込まれるフィッティング部の他端に凸凹部が多段階で更に形成される。
さらに、前記カップリングの端部に前記環状溝と対応される環状のカラーがさらに含まれる。
なお、前記カップリングの内壁に前記ホースがカップリングより容易に滑らないようにするため凸凹部が多段階で更に形成される。
【００１０】
【発明の実施の形態】
以下、  添付図面を参照して本発明の望ましい実施例によるホースアセンブリフィッティング部締結構造を詳細に説明する。
【００１１】
図２には、本発明によるホースアセンブリ用フィッティング部締結構造が分離斜視図として図示されており、図３には、結合断面図として図示されており、図４には、本発明によるホースアセンブリ用フィッティング部締結構造よりホースを連結した状態が、結合断面図として図示されている。
【００１２】
これら図面に図示されたように、外壁の一方に環状の掛け顎（１）が形成されており、外壁の他方に多段階の凸凹部（１ａ）が形成され、掛け顎（１）と凸凹部（１ａ）との間の外壁に雄ネジ部（７）が形成されており、内部に中が空いている中空円筒状のフィッティング部（ｆｉｔｔｉｎｇ）（２）；掛け顎（１）によって回転可能に支持されており、高圧状態の流体を供給するバルブなどの相手部品とネジを結合させるナット（３）；一端には内側に延長される環状カラー（５ａ）が形成され、高圧流体を移送させるホース（４）を凸凹部（１ａ）に嵌め込んだ後に凸凹部（１ａ）と対応されるホース（４）を半径方向に圧着させることによりホース（４）がフィッティング部（２）に固定されるようにするカップリング（ｃｏｕｐｌｉｎｇ）（５）；カップリング（５）がフィッティング部（２）に容易に固定されるようにするためカップリング（５）とフィッティング部（２）との間に介在され、内壁に前記雌ネジ部（７）に対応する雌ネジ部（８）が形成されフィッティング部（２）とネジ結合され、外壁に環状溝（９ａ）が形成されカップリング（５）の前記環状カラー（５ａ）と凸凹結合される補助ナット（９）とを含んで構成される。この時、カップリング（５）の内壁にカップリング（５）がホースを半径方向に圧着させる機能以外に、ホース（４）がカップリング（５）より滑らないようにする滑り止め機能のため、凸凹部（１ａ）の凸凹状と同一した方向に凸凹部（５ｂ）が形成され得る。
【００１３】
次に、本発明によるホースアセンブリ用フィッティング部締結構造の作動を添付図面を参照して簡単に説明すると次の通りである。
【００１４】
図４に図示されたように、フィッティング部（２）の一端が、ナットの掛け顎（１）に引っ掛かって逸脱できないようフィッティング部（２）の他端をナット（３）の内側に挿入する。補助ナット（９）の環状溝（９ａ）にカップリング（５）の環状カラー（５ａ）を組立てた後、補助ナット（９）の雌ネジ部（８）がフィッティング部（２）の雄ネジ部（７）と一致されるようフィッティング部（２）の他端を補助ナット（９）の内側に挿入する。補助ナット（９）を時計方向に続けて回転させると補助ナット（９）の雌ネジ部（８）とフィッティング部（２）の雄ネジ部（７）が噛み合い締結されることによって補助ナット（９）とフィッティング部（２）が組立て式に圧着固定される。
【００１５】
【発明の効果】
上記で説明したように、本発明の構成によれば、カップリングを用いてホースをフィッティング部に連結するときに使われる補助ナットに雌ネジ部を形成しフィッティング部に雄ネジ部を形成し、補助ナットをフィッティング部にネジ結合させることにより、溶接による追加工程が省かれ、かつ製作工程が短縮され、製作と組立てがより簡便となり作業性が大幅に向上される。特に、補助ナットがフィッティング部に正確に固定されることで、ホースが高圧油によってフィッティング部から逸脱される恐れがなく、製品に対する信頼性と安定性が向上される。
【００１６】
以下、次の図面による本発明の望ましい実施例を詳細に説明する。
【図面の簡単な説明】
【図１】従来技術によるホースアセンブリ用フィッティング部締結構造の概略図である。
【図２】本発明によるホースアセンブリ用フィッティング部締結構造の分離斜視図である。
【図３】本発明によるホースアセンブリ用フィッティング部締結構造の結合断面図である。
【図４】本発明によるホースアセンブリ用フィッティング部締結構造よりホースが連結された状態を示す結合断面図である。
【図１】
2004211882.tif 000003
【図２】
2004211882.tif 000004
【図３】
2004211882.tif 000005
【図４】
2004211882.tif 000006